(57)【要約】      （修正有）【課題】美容アクセサリとの組合せ安定性を向上させ得る美容装置を提供する。【解決手段】美容装置は、作動部品１０Ａ、凹部、及びホルダ３０Ａを有する。作動部品１０Ａは、座部１１及び美容ヘッド１２を有する。美容ヘッド１２は座部１１上に取り付けられている。凹部は、座部１１の外表面の周囲に形成されており、座部１１と美容ヘッド１２との接合部に隣接する。ホルダ３０Ａは、シリコーンで形成されており、作動部品１０Ａの周囲に取り外し可能に取り付けられており、凹部に挿入されている。ホルダ３０Ａは、ループ３１及びタブ３２を有する。ループ３１は、作動部品１０Ａの周囲に取り付けられており、凹部に挿入されている。タブ３２は、ループ３１に形成されており、座部１１の底面から突出している。【選択図】図１
0003219790.tif 000002
【実用新案登録請求の範囲】
【請求項１】
美容装置であって、
作動部品を備え、前記作動部品は、
座部と、
前記座部上に取り付けられた美容ヘッドと、
前記座部の外表面の周囲に形成されており、前記座部と前記美容ヘッドとの接合部に隣接する凹部と、
シリコーンで形成されており、前記作動部品の周囲に取り外し可能に取り付けられており、前記凹部に挿入されたホルダとを有する、美容装置。
【請求項２】
請求項１に記載の美容装置であって、
前記ホルダは、
ループであって、前記作動部品の周囲に取り付けられており、前記凹部に挿入されたループと、
前記ループ上に形成されており、前記座部の底面から突出したタブとを有する、美容装置。
【請求項３】
請求項２に記載の美容装置であって、
前記座部は、
前記座部の前記底面内に形成された取り付け孔を有し、
前記ホルダは、
前記ループ上に形成された接続部と、
前記接続部の遠端に形成されており、前記取り付け穴に挿入されており、前記座部に嵌装された嵌装ブロックとを有する、美容装置。
【請求項４】
請求項２に記載の美容装置であって、
前記ホルダは、
カバー層であって、前記作動部品の前記座部の周囲に取り付けられており、前記凹部内へ延在するカバー層を有し、
前記ループは前記カバー層の端部上に形成されている、美容装置。
【請求項５】
請求項１に記載の美容装置であって、
前記美容ヘッドは前記座部上に取り外し可能に取り付けられている、美容装置。
【請求項６】
請求項５に記載の美容装置であって、
前記座部は、
前記座部の上面内に形成された接続凹部と、
前記座部の前記上面上に形成されており、間隙を隔てて配置されており、前記接続凹部に連通した２つの摺動凹部とを備え、それぞれの摺動凹部が、
前記座部の前記上面内で垂直方向に形成された第１の区域と、
前記第１の区域の最下端において水平方向に形成された第２の区域とを有し、前記美容ヘッドは、
接続部であって、前記美容ヘッドの底面上に形成されており、前記接続凹部に挿入された接続部と、
前記接続部の外表面上に形成されており、前記第１の区域を介して前記２つの摺動凹部の前記第２の区域内に挿入された２つの取り付けブロックとを有する、美容装置。
【請求項７】
請求項１乃至請求項６のいずれか１つに記載の美容装置であって、
前記作動部品は、保持部であって、前記座部の前記底面上に形成されており、前記底面から突出した保持部を有する、美容装置。
【請求項８】
請求項１乃至請求項６のいずれか１つに記載の美容装置であって、
前記美容ヘッドは、メイクアップリムーバスポンジ、パウダーパフ、洗浄ブラシ、または注入ヘッドである、美容装置。
【考案の詳細な説明】
【技術分野】
【０００１】
本考案は、美容装置に関し、より詳細には、美容アクセサリとの組合せ安定性を向上させ得る美容装置に関する。
【背景技術】
【０００２】
従来の美容装置は、注入機能及び解毒機能を有する。注入機能は、皮膚がスキンケア製品を吸収するのを補助し得る。解毒機能は、毛穴が汚れを排出するのを補助し得る。従来の美容装置は、本体、ガイドヘッド、及び固定リングを有する。ガイドヘッドは、本体の上面に取り付けられており、当該上面から突出している。ガイドヘッドは、遠端及びガイド面を有する。ガイド面は、ガイドヘッドの遠端に形成されている。さらに、本体はアセンブリ面を有する。アセンブリ面は本体の上面上に形成されている。アセンブリ面は、ガイドヘッドに接続されており、当該ガイドヘッドの周囲に取り付けられている。固定リングは、本体のアセンブリ面の周囲に取り外し可能に取り付けられており、ガイドヘッドを取り囲む。固定リングは貫通孔を有し、ガイドヘッドは貫通孔を介して延在する。
【０００３】
従来の美容装置を使用してコットンパッドを固定する場合には、本体から固定リングを取り外す。ガイドヘッドのガイド面上にコットンパッドを載置する。次いで、固定リングを押圧して本体のアセンブリ面に固定する。同時に、コットンパッドを押圧して固定する。しかし、固定リングを押圧して本体のアセンブリ面に固定し、アセンブリ面をガイドヘッドに接続して当該ガイドヘッドの周囲に取り付けると、ガイドヘッドのガイド面の面積が極めて制限される。
【０００４】
他の従来の美容装置は、本体、ガイドヘッド、及び固定リングを有する。ガイドヘッドは、本体に取り付けられており、本体から突出している。ガイドヘッドは、遠端及びガイド面を有する。ガイド面は、ガイドヘッドの遠端に形成されている。固定リングは、ガイドヘッドの周囲に取り外し可能に取り付けられている。固定リングは貫通孔を有し、ガイドヘッドは貫通孔を通って延在する。
【０００５】
従来の美容装置を使用してコットンパッドを固定する場合には、ガイドヘッドから固定リングを取り外す。ガイドヘッドのガイド面上にコットンパッドを載置する。次いで、固定リングを押圧してガイドヘッドの外周面に固定する。同時に、コットンパッドを押圧して固定する。しかし、コットンパッドは厚さを有するため、固定リングを押圧してガイドヘッドの外周面に固定すると、固定リングがガイド面から突出する。したがって、コットンパッドが平坦にならず、そのことによってユーザは動作時に不快に感じる。その上、コットンパッドは厚さを有し、そのことが固定リングの位置決め作用に影響を与えることとなる。したがって、従来の美容装置の使用時には、コットンパッドの位置決め作用が不十分である。さらに、コットンパッドの厚さが厚すぎる場合は、固定リングが押圧されてガイドヘッドの周囲に固定されないことがある。すなわち、コットンパッドの適用可能な厚さが制限される。
【０００６】
従来の美容装置の欠点を克服するために、本考案は、上述の課題を低減または回避する美容装置を提供する。
【先行技術文献】
【特許文献】
【０００７】
【特許文献１】特開2017-190725号公報
【考案の概要】
【０００８】
本考案は、美容アクセサリとの組合せ安定性を向上させ得る美容装置に関する。
前記美容装置は、作動部品、凹部、及びホルダを有する。前記作動部品は、座部及び美容ヘッドを有する。前記美容ヘッドは前記座部上に取り付けられている。前記凹部は、前記座部の外表面の周囲に形成されており、前記座部と前記美容ヘッドとの接合部に隣接する。前記ホルダは、シリコーンで形成されており、前記作動部品の周囲に取り外し可能に取り付けられており、前記凹部に挿入されている。前記ホルダは、ループ及びタブを有する。前記ループは、前記作動部品の周囲に取り付けられており、前記凹部に挿入されている。前記タブは、前記ループに形成されており、前記座部の底面から突出している。
【０００９】
本考案の他の目的、利点、及び新規な特徴は、以下の詳細な説明を添付の図面と併せて考慮することにより、より明らかになるであろう。
【図面の簡単な説明】
【００１０】
【図１】本考案に係る第１の実施形態の美容装置の斜視図である。
【図２】図１の美容装置の他の斜視図である。
【図３】図１の美容装置の側面図である。
【図４】図１の美容装置の部分断面側面図である。
【図５】図１の美容装置の動作時の側面図である。
【図６】図１の美容装置の他の動作時の側面図である。
【図７】図１の美容装置の動作時の部分断面側面図である。
【図８】本考案に係る第２の実施形態の美容装置の斜視図である。
【図９】図８の美容装置の側面図である。
【図１０】図８の美容装置の部分断面側面図である。
【図１１】図８の美容装置の動作時の部分断面側面図である。
【図１２】本考案に係る第３の実施形態の美容装置の斜視図である。
【図１３】図１２の美容装置の側面図である。
【図１４】図１２の美容装置の部分断面側面図である。
【図１５】図１２の美容装置の動作時の部分断面側面図である。
【図１６】本考案に係る第４の実施形態の美容装置の分解斜視図である。
【図１７】図１６の美容装置の他の分解斜視図である。
【図１８】図１６の美容装置の斜視図である。
【図１９】図１６の美容装置の側面図である。
【図２０】図１６の美容装置の動作時の上面図である。
【図２１】図１６の美容装置の他の動作時の上面図である。
【図２２】図１６の美容装置の動作時の部分断面側面図である。
【考案を実施するための形態】
【００１１】
図１乃至図４を参照すると、本考案に係る第１の実施形態の美容装置は、作動部品１０Ａ、凹部２０、及びホルダ３０Ａを備える。
【００１２】
作動部品１０Ａは、座部１１及び美容ヘッド１２を有する。美容ヘッド１２は、座部１１の上面上に取り付けられている。図４を参照すると、美容ヘッド１２はパウダーパフヘッドからなる。座部１１は、底板１３、周壁１４、及び位置決めリング１５を有する。周壁１４は底板１３の上面に形成されており、美容ヘッド１２は周壁１４によって閉囲されている。位置決めリング１５は、周壁１４に嵌装されており、美容ヘッド１２を所定位置に保持している。位置決めリング１５は、周壁１４の外表面の外側へ延在し、底板１３に対向する。
【００１３】
凹部２０は、座部１１の外表面の周囲に形成されており、座部１１と美容ヘッド１２との接合部に隣接している。図４を参照すると、凹部２０は周壁１４の周囲に形成されている。さらに、凹部２０は、底板１３と位置決めリング１５との間に配置されている。
【００１４】
ホルダ３０Ａは、シリコーンで形成されているとともに、作動部品１０Ａの周囲に取り外し可能に取り付けられており、凹部２０に挿入されている。ホルダ３０Ａは、ループ３１及びタブ３２を有する。ループ３１は、作動部品１０Ａの周囲に取り付けられており、凹部２０に挿入されている。タブ３２は、ループ３１上に形成されており、座部１１の底面から突出している。
【００１５】
図２乃至図４を参照すると、座部１１は取り付け孔１１１を有する。取り付け孔１１１は、座部１１の底面内に形成されている。ホルダ３０Ａは、接続部３３及び嵌装ブロック３４を有する。接続部３３はループ３１上に形成されている。嵌装ブロック３４は、接続部３３の遠端に形成されており、取り付け孔１１１に挿入されており、座部１１の底板１３に嵌装されている。さらに、作動部品１０Ａは保持部１１２を有する。保持部１１２は、底板１３の底面上に形成されており、当該底面から突出している。
【００１６】
図５乃至図７を参照すると、美容ヘッド１２上に美容アクセサリ４０を載置することが可能であり、作動部品１０Ａの周囲にホルダ３０Ａを取り付ける。ホルダ３０Ａを凹部２０に挿入し、これによってホルダ３０Ａと作動部品１０Ａとの間に美容アクセサリ４０を押止する。美容アクセサリ４０はコットンパッドからなり得る。美容ヘッド１２上にコットンパッドを取り付けた後に、スキンケアまたはメイク落としのために、コットンパッド上にスキンケアローションまたはメイクアップリムーバを注ぐ。
【００１７】
図８乃至図１０を参照すると、本考案に係る第２の実施形態の美容装置は、作動部品１０Ｂ、凹部２０、及びホルダ３０Ｂを備える。
【００１８】
作動部品１０Ｂは、座部１１及び美容ヘッド１２を有する。美容ヘッド１２は、座部１１の上面上に取り付けられている。図１０を参照すると、座部１１は、第１のハーフシェル１６及び第２のハーフシェル１７を有する。第２のハーフシェル１７は、第１のハーフシェル１６の上面上に取り付けられている。美容ヘッド１２は洗浄ブラシからなる。美容ヘッド１２は、位置決めスリーブ１８及び複数の突起１９を有する。位置決めスリーブ１８は、第１のハーフシェル１６の周囲に取り付けられており、第２のハーフシェル１７を覆っている。複数の突起１９は、位置決めスリーブ１８の上面上に形成されている。
【００１９】
凹部２０は、座部１１の外表面の周囲に形成されており、座部１１と美容ヘッド１２との接合部に隣接している。
ホルダ３０Ｂは、シリコーンで形成されており、作動部品１０Ｂの周囲に取り外し可能に取り付けられており、凹部２０に挿入されている。ホルダ３０Ｂは、ループ３１及びタブ３２を有する。ループ３１は、作動部品１０Ｂの周囲に取り付けられており、凹部２０に挿入されている。タブ３２は、ループ３１上に形成されており、座部１１の底面から突出している。
【００２０】
図１０を参照すると、第１のハーフシェル１６は取り付け孔１１１を有する。取り付け孔１１１は、第１のハーフシェル１６の底面内に形成されている。位置決めスリーブ１８は貫通孔１８１を有する。貫通孔１８１は、位置決めスリーブ１８の底面内に形成されており、取り付け孔１１１に連通している。ホルダ３０Ｂは、接続部３３及び嵌装ブロック３４を有する。接続部３３はループ３１上に形成されている。嵌装ブロック３４は、接続部３３の遠端に形成されており、取り付け孔１１１に挿入されており、座部１１の第１のハーフシェル１６に嵌装されている。さらに、作動部品１０Ａは保持部１１２を有する。保持部１１２は、第１のハーフシェル１６の底面上に形成されており、当該底面から突出している。
【００２１】
図１１を参照すると、美容ヘッド１２上に美容アクセサリ４０を載置することが可能であり、作動部品１０Ｂの周囲にホルダ３０Ｂを取り付ける。ホルダ３０Ｂを凹部２０に挿入し、これによってホルダ３０Ｂと作動部品１０Ｂとの間に美容アクセサリ４０を押止する。美容アクセサリ４０はコットンパッドからなり得る。美容ヘッド１２上にコットンパッドを取り付けた後に、化粧落としのために、コットンパッド上にメイクアップリムーバを注ぐ。ユーザは、美容ヘッド１２を使用して自分の顔をマッサージし得る。
【００２２】
図１２乃至図１４を参照すると、本考案に係る第３の実施形態の美容装置は、作動部品１０Ｃ、凹部２０、及びホルダ３０Ｃを備える。
【００２３】
作動部品１０Ｃは、座部１１及び美容ヘッド１２を有する。美容ヘッド１２は、座部１１の上面上に取り付けられている。図１４を参照すると、美容ヘッド１２は注入ヘッドからなる。
【００２４】
凹部２０は、座部１１の外表面の周囲に形成されており、座部１１と美容ヘッド１２との接合部に隣接している。図１４を参照すると、凹部２０は美容ヘッド１２の下方にある。
【００２５】
ホルダ３０Ｃは、シリコーンで形成されており、作動部品１０Ｃの周囲に取り外し可能に取り付けられており、凹部２０に挿入されている。ホルダ３０Ｃは、ループ３１及びタブ３２を有する。ループ３１は、作動部品１０Ｃの周囲に取り付けられており、凹部２０に挿入されている。タブ３２は、ループ３１上に形成されており、座部１１の底面から突出している。
【００２６】
図１４を参照すると、座部１１は取り付け孔１１１を有する。ホルダ３０Ｃは、接続部３３及び嵌装ブロック３４を有する。接続部３３はループ３１上に形成されている。嵌装ブロック３４は、接続部３３の遠端に形成されており、取り付け孔１１１に挿入されており、座部１１に嵌装されている。さらに、作動部品１０Ａは保持部１１２を有する。保持部１１２は、第１のハーフシェル１６の底面上に形成されており、当該底面から突出している。
【００２７】
図１５を参照すると、美容ヘッド１２上に美容アクセサリ４０を載置することが可能であり、作動部品１０Ｃの周囲にホルダ３０Ｂを取り付ける。ホルダ３０Ｃを凹部２０に挿入し、これによってホルダ３０Ｃと作動部品１０Ｃとの間に美容アクセサリ４０を押止する。美容アクセサリ４０はコットンパッドからなり得る。美容ヘッド１２上にコットンパッドを取り付けた後に、スキンケアのためにコットンパッド上にスキンケアローションを注ぐ。ユーザは、スキンケアのために美容ヘッド１２上にスキンケアローションを直接注ぎ得る。なお、美容ヘッド１２は複数の貯蔵穴１２１を有する。美容ヘッド１２の上面内に複数の貯蔵穴１２１が形成されており、貯蔵穴１２１にスキンケアローションを貯蔵し得る。
【００２８】
図１６乃至図１９を参照すると、本考案に係る第４の実施形態の美容装置は、作動部品１０Ｄ、凹部２０、及びホルダ３０Ｄを備える。
【００２９】
作動部品１０Ｄは、座部１１及び美容ヘッド１２を有する。美容ヘッド１２は、座部１１上に取り外し可能に取り付けられている。図１６を参照すると、美容ヘッド１２は交換可能である。美容ヘッド１２は、メイクアップリムーバスポンジ、パウダーパフ、洗浄ブラシ、または注入ヘッドからなり得る。図１７及び図２２を参照すると、座部１１は、接続凹部１１３及び２つの摺動凹部１１４を有する。接続凹部１１３は、座部１１の上面内に形成されている。２つの摺動凹部１１４は、座部１１の上面内に形成されており、間隙を隔てて配置されている。２つの摺動凹部１１４は、接続凹部１１３に連通している。各摺動凹部１１４は、第１の区域１１５及び第２の区域１１６を有する。第１の区域１１５は、座部１１の上面内で垂直方向に形成されている。第２の区域１１６は、第１の区域１１５の最下端において水平方向に形成されている。座部１１は、さらに、２つのストッパ１１７を有する。２つのストッパ１１７は、それぞれ、２つの第２の区域１１６上に形成されており、当該区域内へ延在する。美容ヘッド１２は、接続部１２２及び２つの取り付けブロック１２３を有する。接続部１２２は、美容ヘッド１２の底面上に形成されており、接続凹部１１３に挿入されている。２つの取り付けブロック１２３は、接続部１２２の外表面に形成されている。２つの取り付けブロック１２３は、第１の区域１１５を介して２つの摺動凹部１１４の第２の区域１１６に挿入されている。各取り付けブロック１２３は当接面１２４を有し、各当接面１２４は、対応するストッパ１１７に当接して美容ヘッド１２を位置決めする。
【００３０】
凹部２０は、座部１１の外表面の周囲に形成されており、座部１１と美容ヘッド１２との接合部に隣接している。
【００３１】
ホルダ３０Ｄは、シリコーンで形成されているとともに、作動部品１０Ｄの周囲に取り外し可能に取り付けられており、凹部２０に挿入されている。ホルダ３０Ｄは、ループ３１及びタブ３２を有する。ループ３１は、作動部品１０Ｄの周囲に取り付けられており、凹部２０に挿入されている。タブ３２は、ループ３１上に形成されており、座部１１の底面から突出している。さらに、ホルダ３０Ｄはカバー層３５を有する。カバー層３５は、作動部品１０Ｄの座部１１の周囲に取り付けられており、凹部２０内へ延在する。ループ３１は、カバー層３５の端部に形成されている。
【００３２】
図１７、図２０、及び図２１を参照し、美容装置を組み立てる場合に、２つの摺動凹部１１４の第１の区域１１５に２つの取り付けブロック１２３を挿入する。次いで、美容ヘッド１２を回転させ、それにより２つの取り付けブロック１２３が２つの第２の区域１１６内に摺動することを可能とする。美容ヘッド１２を座部１１に組み付けて固定し得る。
【００３３】
凹部２０が座部１１の外表面の周囲に形成されているとともにホルダ３０Ａ、３０Ｂ、３０Ｃ、３０Ｄが弾性を有するため、ホルダ３０Ａ、３０Ｂ、３０Ｃ、３０Ｄは、種々の厚さを有する美容アクセサリ４０を固定することが可能である。美容アクセサリ４０は、メイク落としコットン、繊維布、粗目の繊維布、メロンクロス、洗顔布、またはウェットティッシュからなり得る。
【００３４】
美容ヘッド１２は、メイクアップリムーバスポンジ、パウダーパフ、洗浄ブラシ、または注入ヘッドからなり得る。
【００３５】
保持部１１２はユーザに保持されることによって動作することが可能であり、または保持部１１２はマシン上に取り付けられて電気的に動作することが可能である。図４を参照すると、ホルダ３０Ａは、座部１１上に取り外し可能に取り付けられている。したがって、ループ３１は、接続部３３が損傷した場合でも機能し得る。図１６を参照すると、ループ３１は、ループ３１とカバー層３５との接合部が損傷した場合でも機能し得る。
【００３６】
要するに、凹部２０は、座部１１の外表面の周囲にあり、座部１１と美容ヘッド１２との接合部に隣接している。したがって、作動部品１０Ａ、１０Ｂ、１０Ｃ、１０Ｄの利用領域は狭くない。ホルダ３０Ａ、３０Ｂのループ３１は、美容アクセサリ４０を固定するように凹部２０に挿入されている。したがって、ループ３１は作動部品１０Ａ、１０Ｂ、１０Ｃ、１０Ｄの上面外に延在しないようになっており、これによりループ３１とユーザの肌との間の摩擦が回避される。その上、ホルダ３０Ａ、３０Ｂ、３０Ｃ、３０Ｄのループ３１は、シリコーンで形成されているとともに弾性を有し、これによって作動部品１０Ａ、１０Ｂ、１０Ｃ、１０Ｄ上に美容アクセサリ４０を固定及び位置決めする。したがって、ホルダ３０Ａ、３０Ｂ、３０Ｃ、３０Ｄは、種々の厚さを有する美容アクセサリ４０に適応可能である。ホルダ３０Ａ、３０Ｂ、３０Ｃ、３０Ｄの位置決め作用及び適応性が両方とも向上する。
【００３７】
その上、ユーザは、タブ３２を保持して、ループ３１を凹部２０内へ、または凹部２０から離して延在させるように、ループ３１に力を作用させ得る。さらに、美容ヘッド１２は座部１１上に取り外し可能に取り付けられ得るとともに、美容ヘッド１２は交換可能である。
【００３８】
以上の説明において、本考案の多数の特徴及び利点を、本考案の構造及び機能の詳細とともに述べたが、本開示は、単なる例示であって、添付の請求項を表現する文言の広い一般の意味により示される最大限まで、本考案の原理の範囲内で、詳細の変更、特に部分の形状、大きさ、及び配置に関する変更をなし得る。
【図１】
0003219790.tif 000003
【図２】
0003219790.tif 000004
【図３】
0003219790.tif 000005
【図４】
0003219790.tif 000006
【図５】
0003219790.tif 000007
【図６】
0003219790.tif 000008
【図７】
0003219790.tif 000009
【図８】
0003219790.tif 000010
【図９】
0003219790.tif 000011
【図１０】
0003219790.tif 000012
【図１１】
0003219790.tif 000013
【図１２】
0003219790.tif 000014
【図１３】
0003219790.tif 000015
【図１４】
0003219790.tif 000016
【図１５】
0003219790.tif 000017
【図１６】
0003219790.tif 000018
【図１７】
0003219790.tif 000019
【図１８】
0003219790.tif 000020
【図１９】
0003219790.tif 000021
【図２０】
0003219790.tif 000022
【図２１】
0003219790.tif 000023
【図２２】
0003219790.tif 000024